(57)【要約】【課題】  正負の極性が周期的に反転する波形を有する駆動電圧を、簡単な構成で、電力損失が少なく、表示素子に供給する。【解決手段】  駆動回路は、電圧を供給する電源部と、電流の経路を切換える電流経路切換部と、駆動電圧が発生する共振部と、共振部で発生した駆動電圧を臨界状態に抑制する共振抑制部とを備える。駆動電圧は、基準電圧に対する極性が異なる一対以上の連続した波形を有する。駆動電圧の波形は、電源部が供給する電圧よりも高いピーク電圧を有する。基準電圧に対する極性が異なる一対以上の連続した波形が表示素子に印加された後、波形が収束する。【選択図】  図２
2007086686.tif 000002
【特許請求の範囲】
【請求項１】
表示素子と、前記表示素子に駆動電圧を印加する駆動回路とを備えた表示装置であって、
前記駆動回路は、電圧を供給する電源部と、電流の経路を切換える電流経路切換部と、前記駆動電圧が発生する共振部と、前記共振部で発生した前記駆動電圧を臨界状態に抑制する共振抑制部とを備え、
前記駆動電圧は、基準電圧に対する極性が異なる一対以上の連続した波形を有し、
前記駆動電圧の前記波形は、前記電源部が供給する前記電圧よりも高いピーク電圧を有し、
前記基準電圧に対する極性が異なる一対以上の連続した波形が前記表示素子に印加された後、前記波形が収束することを特徴とする表示装置。
【請求項２】
前記表示素子が容量素子であり、前記共振部が前記表示素子を含む請求項１に記載の表示装置。
【請求項３】
複数の前記表示素子を備え、前記複数の表示素子のうち前記駆動電圧が印加される表示素子を選択する選択部を更に備える請求項１に記載の表示装置。
【請求項４】
第１方向と平行な複数の走査電極と、前記複数の走査電極に走査電圧を順次印加する走査側駆動回路と、前記第１方向と直交する第２方向と平行な複数のデータ電極と、前記複数のデータ電極にデータ信号に応じたデータ電圧をそれぞれ印加するデータ側駆動回路とを更に備え、
前記複数の走査電極と前記複数のデータ電極との各交差点に前記表示素子からなる画素が配置されており、
前記選択部は、前記複数の走査電極と前記走査側駆動回路との間に配置されて、前記走査電圧が印加される走査電極を選択する請求項３に記載の表示装置。
【請求項５】
前記選択部が、前記複数のデータ電極と前記データ側駆動回路との間に更に配置されて、前記データ電圧が印加されるデータ電極を選択する請求項４に記載の表示装置。
【請求項６】
前記電源部が供給する前記電圧の波形がゼロ以外の値を有する期間は、選択された特定の走査電極に前記走査電圧が印加される期間より短い請求項４に記載の表示装置。
【請求項７】
前記電源部が供給する前記電圧の波形がゼロ以外の値を有する期間は、選択された特定のデータ電極に前記データ電圧が印加される期間より短い請求項５に記載の表示装置。
【請求項８】
前記電流経路切換部は少なくとも２つのスイッチ素子を含む請求項１に記載の表示装置。
【請求項９】
前記共振部は少なくとも１つの誘導素子を含む請求項１に記載の表示装置。
【請求項１０】
前記誘導素子は可変誘導素子である請求項９に記載の表示装置。
【請求項１１】
前記共振抑制部は少なくとも１つの抵抗器を含む請求項１に記載の表示装置。
【請求項１２】
前記抵抗器は可変抵抗器である請求項１１に記載の表示装置。
【請求項１３】
前記表示素子は誘電体層及び蛍光体層を含む無機ＥＬ素子である請求項１に記載の表示装置。
【請求項１４】
前記電源部が供給する前記電圧の波形がゼロ以外の値を有する期間は、基準電圧に対して正極性又は負極性を有する前記駆動電圧の波形部分の期間の１／２である請求項１に記載の表示装置。
【発明の詳細な説明】
【技術分野】
【０００１】
本発明は、例えば無機ＥＬ（エレクトロルミネッセンス）素子などの発光素子を備えた表示装置に関する。
【背景技術】
【０００２】
無機ＥＬ素子は、蛍光体層及び誘電体層を含む発光層を一対の電極間に挟んだ構造を有し、一対の電極間に電圧パルスを印加することにより発光する。無機ＥＬ素子を備えた表示装置（以下、「無機ＥＬ表示装置」という）の表示パネルでは、この無機ＥＬ素子からなる多数の画素がマトリクス状に配置されている。例えば、ガラス等の基板上に、データ電極として第１方向に平行な複数本のストライプ状電極を相互に離間して形成し、このデータ電極上に発光層を形成し、発光層上に走査電極として第１方向と直交する第２方向に平行な複数本のストライプ状電極を相互に離間して形成する。これにより、データ電極のストライプ状電極と走査電極のストライプ状電極との各交差点に、発光層をデータ電極と走査電極とで挟んだ無機ＥＬ素子が形成される。かくして、表示画素としての無機ＥＬ素子が２次元配列されたパッシブマトリクス型の表示パネルが形成される。
【０００３】
無機ＥＬ素子は、容量性の素子であるため、発光層に駆動電圧を印加したときに発光に寄与する電流は、コンデンサに電圧を印加したときの充電電流と同様の挙動を示す。電流が流れる時間は数μ秒という短い時間であり、電流が流れた後に印加される電圧は発光には寄与しない。従って、駆動電圧として直流電圧を印加したのでは、連続した発光を得ることができない。
【０００４】
よって、無機ＥＬ表示装置は、フィールド毎に発光層に印加する電圧の極性を反転させる、いわゆるフィールド反転駆動により駆動される（例えば特許文献１）。そのために、例えば、走査電極を駆動する走査側駆動回路は、データ電極に対して負極性の電圧を発生する出力素子と正極性の電圧を発生する出力素子とを有し、一方、データ電極を駆動するデータ側駆動回路は、発光層に印加する変調電圧を発生する出力素子を有している。これにより、発光層に対して対称性の良い交流パルスをフレーム周期で印加することができ、信頼性の高い表示を行うことができる。
【０００５】
しかし、反転駆動では、１フレームを構成するために電圧の極性が互いに異なる一対のフィールドが必要となり、フィールド数がフレーム数の２倍になってしまう。一対のフィールドを用いなければ最適な画質を得ることは出来ない。
【０００６】
ところが、フィールド数が多くなると無効期間が増え、画素数が多いディスプレイには対応できない。そこで、１フレームの１つのライン選択期間に極性が異なる連続したパルス電圧を印加する駆動方法が提案されている（例えば特許文献２）。
【特許文献１】特開２００１−３１２２４５号公報
【特許文献２】特許第２６８２８８６号明細書
【発明の開示】
【発明が解決しようとする課題】
【０００７】
上述のように、従来の無機ＥＬ表示装置の駆動回路は、発光層に対して周期的に極性が反転する電圧を印加するために、正極性の電源と負極性の電源とを備え、それぞれが正極性の駆動波形と負極性の駆動波形を作成している。
【０００８】
無機ＥＬ素子を発光させるための閾値電圧は２００Ｖ程度であるから、駆動回路は比較的高い駆動電圧を印加する必要がある。従って、正極性の電源と負極性の電源とを別個に備えることは、装置を複雑にし、コスト低減の障害となる。
【０００９】
さらに、走査側駆動回路の電源部は、正極性の電圧及び負極性の電圧を１フレームの１つのライン選択期間内に連続して発生させる必要がある。このとき切り換えられる電圧範囲は約＋２００Ｖ〜−２００Ｖと非常に大きく、切換素子の消費電力が大きい。また、極性切換えの際に無機ＥＬ素子に蓄積された電荷を放電させることが出来ず、発光に支障が生じる。また、高画素数の表示装置では切換時間の裕度がない。さらに、極性が異なる高電圧を印加するために、駆動回路として正極用と負極用の２種が必要となってしまい、さらに高コストなものとなってしまう。
【００１０】
本発明は、このような従来技術の課題を解決するためになされたものであり、正負の極性が周期的に反転する波形を有する駆動電圧を、簡単な構成で、電力損失が少なく、表示素子に印加することが可能な駆動回路を備えた表示装置を提供することを目的とする。
【課題を解決するための手段】
【００１１】
本発明の表示装置は、表示素子と、前記表示素子に駆動電圧を印加する駆動回路とを備える。前記駆動回路は、電圧を供給する電源部と、電流の経路を切換える電流経路切換部と、前記駆動電圧が発生する共振部と、前記共振部で発生した前記駆動電圧を臨界状態に抑制する共振抑制部とを備える。前記駆動電圧は、基準電圧に対する極性が異なる一対以上の連続した波形を有する。前記駆動電圧の前記波形は、前記電源部が供給する前記電圧よりも高いピーク電圧を有する。前記基準電圧に対する極性が異なる一対以上の連続した波形が前記表示素子に印加された後、前記波形が収束する。
【００１２】
ここで、「基準電圧」とは、例えば２端子型の表示素子であれば、その２端子のうちの一方の端子に駆動電圧を印加する場合に、他方の端子の電位を意味する。「基準電圧に対する極性」とは、一方の端子に印加される駆動電圧から他方の端子の電位（基準電位）を差し引いた相対的な電位の極性を意味する。「極性が異なる一対」とは、正極性を有する波形と負極性を有する波形とからなる対を意味する。「一対以上の連続した波形」とは、正極性を有する波形と負極性を有する波形とが、実質的に電圧がゼロとなる期間を介在させずに交互に繰り返された波形を意味する。
【発明の効果】
【００１３】
本発明によれば、正（又は負）極性のみ電圧を供給する電源部を用いて、正極性と負極性とを有する共振電圧波形を発生させ、これを駆動電圧として表示素子に印加するすることができる。さらに、電源部が供給する電圧は、表示素子に印加される駆動電圧波形のピーク電圧（ｐ−ｐ）の１／４程度で足りる。また、駆動電圧波形の正及び負の電圧のうちの一方は電源部から供給される電圧に依存しない。従って、省電力で、電源制御配線を少なくでき、この結果、消費電力の低減と、駆動回路の低コスト化とを実現できる。
【発明を実施するための最良の形態】
【００１４】
上記の本発明の表示装置において、前記表示素子が容量素子であり、前記共振部が前記表示素子を含むことが好ましい。
【００１５】
これにより、表示素子を共振回路の一部として利用できるので、部品点数の削減、回路の簡素化を実現できる。また、発光と同時に共振部内に共振が発生する。
【００１６】
上記の本発明の表示装置が複数の前記表示素子を備え、前記複数の表示素子のうち前記駆動電圧が印加される表示素子を選択する選択部を更に備えることが好ましい。
【００１７】
これにより、複数の表示素子のうちの任意の１又は複数の表示素子のみを、共振電圧波形により選択的に発光させることができる。よって、例えばセグメント駆動を実現できる。
【００１８】
上記の本発明の表示装置が、第１方向と平行な複数の走査電極と、前記複数の走査電極に走査電圧を順次印加する走査側駆動回路と、前記第１方向と直交する第２方向と平行な複数のデータ電極と、前記複数のデータ電極にデータ信号に応じたデータ電圧をそれぞれ印加するデータ側駆動回路とを更に備えていても良い。この場合、前記複数の走査電極と前記複数のデータ電極との各交差点に前記表示素子からなる画素が配置されていることが好ましい。そして、前記選択部は、前記複数の走査電極と前記走査側駆動回路との間に配置されて、前記走査電圧が印加される走査電極を選択することが好ましい。
【００１９】
これにより、線順次走査、面順次走査、または点順次走査などによるマトリックス駆動を行う高画素数のディスプレイを実現できる。従って、本発明の表示装置をＴＶやモニターなどに応用することができる。また、走査電圧が本発明の上記の共振電圧波形を有するので、省電力化が可能である。
【００２０】
この場合において、前記選択部が、前記複数のデータ電極と前記データ側駆動回路との間に更に配置されて、前記データ電圧が印加されるデータ電極を選択しても良い。
【００２１】
これにより、データ電圧も本発明の上記の共振電圧波形を有するので、更に省電力化された高画素数のディスプレイを実現できる。
【００２２】
上記において、前記電源部が供給する前記電圧の波形がゼロ以外の値を有する期間は、選択された特定の走査電極に前記走査電圧が印加される期間より短いことが好ましい。また、前記電源部が供給する前記電圧の波形がゼロ以外の値を有する期間は、選択された特定のデータ電極に前記データ電圧が印加される期間より短いことが好ましい。ここで、「電圧の波形がゼロ以外の値を有する期間」とは、例えば、電源部がパルス状の電圧を印加する場合であれば、その単位パルス幅を意味する。
【００２３】
これにより、電源部は電圧を常時供給する必要がなく、共振電圧波形を発生させる初期の必要最小限の期間のみ供給すれば足りるので、省電力化を実現できる。
【００２４】
前記電流経路切換部は少なくとも２つのスイッチ素子を含むことが好ましい。ここで、「スイッチ素子」とは、例えばダイオード、トランジスタ、ＦＥＴを例示できる。
【００２５】
これにより、汎用のスイッチ部品を使用することができ、安価な電流経路切換部を実現できる。
【００２６】
前記共振部は少なくとも１つの誘導素子を含むことが好ましい。ここで、「誘導素子」とは例えばコイルを例示できる。
【００２７】
これにより、安価な共振部を実現できる。
【００２８】
前記誘導素子は可変誘導素子であることが好ましい。
【００２９】
これにより、共振部を構成する容量素子のバラツキなどに起因する共振周波数のバラツキを、誘導素子のインダクタンスを調整することにより補正することができる。
【００３０】
前記共振抑制部は少なくとも１つの抵抗器を含むことが好ましい。
【００３１】
これにより、抵抗器の抵抗値を最適に選択することにより、抵抗器に共振電流が流れる時にこれを臨界振動とすることができ、望まない共振を抑制できる。
【００３２】
前記抵抗器は可変抵抗器であることが好ましい。
【００３３】
これにより、抵抗器の抵抗値を調整して臨界振動の減衰率を調整することにより、所望の駆動波形を得ることができる。
【００３４】
前記表示素子は誘電体層及び蛍光体層を含む無機ＥＬ素子であることが好ましい。
【００３５】
これにより、極性が変化する高電圧で駆動する必要がある無機ＥＬ素子を省電力且つ低コストで駆動することができる。
【００３６】
前記電源部が供給する前記電圧の波形がゼロ以外の値を有する期間は、基準電圧に対して正極性又は負極性を有する前記駆動電圧の波形部分の期間の１／２であることが好ましい。
【００３７】
これにより、駆動電圧の連続する正負の駆動波形の正側のピーク電圧値と負側のピーク電圧値とを同じにすることができ最適な駆動ができる。
【００３８】
以下、本発明の実施の形態について図を用いて説明する。
【００３９】
図１は、本発明の表示装置の一実施形態の概略構成を示したブロック図である。本発明の表示装置は、共振を発生させるのに必要な期間だけ正又は負の電圧を供給する電源部１と、電流の経路を切り換えることにより、必要な期間だけ共振を発生させ、その後減衰させる電流経路切換部２と、共振する駆動電圧が発生する共振部６と、必要期間の共振後臨界振動を起こして共振を停止させる共振抑制部５とを備える。表示素子４は共振部６に含まれる。
【００４０】
図１の表示装置の動作を説明する。電源部１から供給された電圧は、電流経路切換部２を通って共振部６内に共振を起こさせ、同時に表示素子４を発光させる。共振開始後所定期間が経過した後、電源供給が停止されると、電流経路切換部２の電流経路が切換わる。その後、電流経路切換部２に電流が流れなくなり、表示素子４を流れる電流は共振抑制部５を通ることにより共振が停止される。
【００４１】
図２は図１の表示装置を実現するための回路図の一例である。図１の電源部１は汎用のパルス電源７で構成される。図１の電流経路切換部２は抵抗器９，１１とフォトカプラ８とダイオード１０で構成される。図１の共振部６はコイル１３と表示素子１４で構成される。図１の共振抑制部５は抵抗器１２で構成される。図２では、表示素子１４は単一容量として示されているが、実際には、単一の表示素子、及び、複数の表示素子（例えば１走査電極に並列接続された複数の表示素子）のいずれであっても良い。複数の表示素子の場合には、表示素子１４はこれらの合成容量を意味することになる。
【００４２】
パルス電源７の一方の端子は接地され、他方の端子はスイッチ素子であるフォトカプラ８の入力側プラス端子と抵抗器９の一方の端子とダイオード１０のカソード側端子とに接続される。フォトカプラ８の入力側のもう一方の端子は抵抗器１１の一方の端子に接続される。抵抗器１１の他方の端子は接地される。抵抗器９の他方の端子はフォトカプラ８の出力側プラス端子に接続され、フォトカプラ８の出力側のもう一方の端子はダイオード１０のアノード側端子とコイル１３の一方の端子と抵抗器１２の一方の端子とに接続される。抵抗器１２の他方の端子は接地される。コイル１３の他方の端子は表示素子１４の一方の端子に接続される。表示素子１４の他方の端子は接地される。
【００４３】
以下、図２の表示装置の動作を説明する。
【００４４】
パルス電源７から電圧が印加されるとフォトカプラ８の入力側に電流が流れ、フォトカプラ８の出力側がオンされる。そのため、パルス電源７からの電流は、フォトカプラ８の出力側、コイル１３、及び表示素子１４を通る。このとき、コイル１３及び表示素子１４に共振電流が生じる。次に、コイル１３及び表示素子１４に生じた共振電流の共振周期の約１／４の期間でパルス電源７からの電圧供給を停止すると、フォトカプラ８の出力側がオフされるために、共振電流はダイオード１０を通って接地面に流れる。そして、表示素子１４に生じる電圧が負電圧のピークとなると、ダイオード１０には逆方向に電流が流れず、且つ、フォトカプラ８の出力側がオフされているために、抵抗器１２を共振電流が通る。このとき抵抗器１２の抵抗値が共振が臨界状態になるように設定されているために、共振電圧が収束する。
【００４５】
図２の表示装置の一実施例を示す。パルス電源７から、１２０Ｖ（ｐ−０）の電圧を５０μｓの期間供給した。フォトカプラ８及びダイオード１０は汎用品を用いた。抵抗器９は１０Ω、抵抗器１１は１０ｋΩ、抵抗器１２は２５ｋΩ、コイル１３は３００ｍＨ、表示素子１４は１ｎＦとした。但し、これらは一例であって、目標の電圧及び電流に応じて各素子の定数は適宜設定される。
【００４６】
上記実施例の各部の電圧電流波形を説明する。図３において、「ａ」は表示素子１４を流れる電流波形で２０．５ｍＡ（ｐ−ｐ）、「ｂ」は表示素子１４に印加される駆動電圧波形で４８０Ｖ（ｐ−ｐ）、「ｃ」はパルス電源７から供給される電圧波形で５０μｓの期間に１２０Ｖ（ｐ−０）が供給されている。パルス電源７から正極性の電圧供給が開始されると、表示素子１４に印加される駆動電圧波形ｂが立ち上がり、これが正極性のピークに達した時、パルス電源７から電圧供給が停止される。図４において、「ｄ」はフォトカプラ８の出力側の電流波形で７ｍＡ（ｐ−０）である。図５において、「ｅ」はダイオード１０の電流で１１．５ｍＡ（ｐ−０）である。図６において、「ｆ」は共振抑制のための抵抗器１２の電流波形で７ｍＡ（ｐ−０）である。
【００４７】
以上のように、本発明の表示装置によれば、正又は負の一定電圧を供給する電源部を用いて共振部に共振電圧を発生させ、正極性及び負極性を有するこの共振電圧を表示素子に駆動電圧として印加する。このとき、電源部が供給する電圧は表示素子の駆動に必要なピーク・ツゥ・ピーク（ｐ−ｐ）電圧の約１／４で足りる。しかも、表示素子に印加される正及び負の駆動電圧のうちの一方は電源部からの電力供給に依存しない。従って、従来の表示装置に比べて省電力で電源制御配線を少なくすることができる。また、上記の実施例における表示素子１４を正負の交流電圧で駆動するためには、スイッチ素子は４８０Ｖ以上の耐電圧特性を有する必要があるが、本発明の上記の実施例では１２０Ｖの耐電圧特性を有していれば足りる。そのため、各素子に要求される耐久性が緩和され、安価な素子を用いて駆動回路を構築することができる。従って、高精細で高画質の表示装置を低コストで実現できる。
【００４８】
図７は本発明の表示装置の別の実施形態の概略構成を示したブロック図である。図７の表示装置は、表示素子４が共振部３と別に設けられている点で、表示素子４が共振部６に含まれる図１の表示装置と異なる。図７の表示装置を実現するための回路図の図示は省略するが、例えば図２の表示素子１４をコンデンサに置き換えて、このコンデンサと並列に表示素子４を接続すれば良い。
【００４９】
図８に示すように共振部１５が選択部１６を備えていてもよい。これにより、点順次走査、線順次走査、面順次走査を実現することができる。図９は図８の表示装置を実現するための回路図の一例である。選択部１６は、ＩＣ等からなる制御回路１７と、トランジスタ、ＦＥＴ、ドライバＩＣ等からなるスイッチ１８ａ〜１８ｅとを含む。スイッチ１８ａ〜１８ｅに表示素子１４ａ〜１４ｅがそれぞれ直列接続されている。表示素子１４ａ〜１４ｅは、単一の表示素子であっても良いし、１ライン上に並列接続された複数の表示素子であっても良いし、所定の領域内に配置された複数の表示素子であっても良い。表示素子及びスイッチの数は図９に示すように５つに限定されない。表示装置が有する複数の表示素子を同時に選択すべき複数の表示素子群に分割し、各表示素子群に１つのスイッチを設ければよい。
【００５０】
図８及び図９を、マトリックス駆動を行う表示装置に応用することができる。この表示装置は、周知のように、第１方向と平行な複数の走査電極と、複数の走査電極に走査電圧を順次印加する走査側駆動回路と、第１方向と直交する第２方向と平行な複数のデータ電極と、複数のデータ電極にデータ信号に応じたデータ電圧をそれぞれ印加するデータ側駆動回路とを備える。複数の走査電極と複数のデータ電極との各交差点に表示素子からなる画素が配置されている。
【００５１】
選択部１６は、複数の走査電極と走査側駆動回路との間に配置される。この場合、選択部１６を構成するスイッチは、走査電極の数と同数だけ必要である。例えば、表示装置がｎラインの走査電極を備える場合にはｎ個のスイッチが必要である。個々のスイッチを制御回路１７で制御することにより、走査電圧が印加される走査電極が選択される。
【００５２】
この場合、走査側駆動回路の電源部が供給する電圧の波形がゼロ以外の値を有する期間（上記の実施例であれば図３の波形ｃのパルス幅５０μｓ）は、選択された特定の走査電極に走査電圧が印加される期間より短く設定される。
【００５３】
更に、選択部１６が、複数のデータ電極とデータ側駆動回路との間に配置されても良い。この場合、選択部１６を構成するスイッチは、データ電極の数と同数だけ必要である。例えば、表示装置がｍラインのデータ電極を備える場合にはｍ個のスイッチが必要である。個々のスイッチを制御回路１７で制御することにより、データ電圧が印加されるデータ電極が選択される。
【００５４】
この場合、データ側駆動回路の電源部が供給する電圧の波形がゼロ以外の値を有する期間（上記の実施例であれば図３の波形ｃのパルス幅５０μｓ）は、選択された特定のデータ電極にデータ電圧が印加される期間より短く設定される。
【００５５】
以上のようなマトリックス駆動を行う表示装置によれば、２次元配置された多数の画素のそれぞれに表示素子を備えた表示装置の駆動回路の省電力化と低コスト化とを実現できる。
【００５６】
本発明において、抵抗器１２は可変抵抗器であっても良い。これにより共振波形の減衰を微調整して、表示素子に印加する駆動電圧波形を最適設定することができる。
【００５７】
また、コイル１３は可変インダクタンスであっても良い。これにより、コイル１３のインダクタンスを微調整して表示素子の容量のばらつきや共振周波数のばらつきを補正することができる。
【産業上の利用可能性】
【００５８】
本発明の利用分野は特に制限はないが、正極性と負極性とを含む電圧波形を印加することで駆動される表示素子を備えた表示装置に広く利用することができる。例えば、無機ＥＬ素子を備えた表示装置に利用することができる。
【図面の簡単な説明】
【００５９】
【図１】本発明の表示装置の一実施形態の概略構成を示すブロック図
【図２】図１の表示装置を実現する一例の回路図
【図３】図２の表示装置の一実施例において、表示素子の電流及び電圧と、パルス電源から供給される電圧の各波形図
【図４】図２の表示装置の一実施例において、表示素子の電流、及びフォトカプラの出力側電流の各波形図
【図５】図２の表示装置の一実施例において、表示素子の電流、及びダイオードの電流の各波形図
【図６】図２の表示装置の一実施例において、表示素子の電流、及び共振抑制抵抗の電流の各波形図
【図７】本発明の表示装置の別の実施形態の概略構成を示すブロック図
【図８】本発明の表示装置の更に別の実施形態の概略構成を示すブロック図
【図９】図８の表示装置を実現する一例の回路図
【符号の説明】
【００６０】
１  電源部
２  電流経路切換部
３  共振部
４  表示素子
５  共振抑制部
６  共振部
７  パルス電源
８  フォトカプラ
９  抵抗器
１０  ダイオード
１１  抵抗器
１２  抵抗器
１３  コイル
１４、１４ａ〜１４ｅ  表示素子
１５  共振部
１６  選択部
１７  制御回路
１８ａ〜１８ｅ  スイッチ
【図１】
2007086686.tif 000003
【図２】
2007086686.tif 000004
【図３】
2007086686.tif 000005
【図４】
2007086686.tif 000006
【図５】
2007086686.tif 000007
【図６】
2007086686.tif 000008
【図７】
2007086686.tif 000009
【図８】
2007086686.tif 000010
【図９】
2007086686.tif 000011